(57)【要約】【目的】温室の高さを高くすることなく、温室内の栽培空間を十分に確保して栽培作業を効率化し、温室の建設コストとカーテン開閉装置の設置コストを低減すること。【構成】アーチ状部材の内面に近接して温室の略全長に亘って、棟方向に平行して複数本掛け渡された案内部材と、駆動ワイヤに固定されその駆動により案内部材に直交して該部材上を棟方向に移動する先導部材と、温室の一方の妻面に沿って配設され、駆動ワイヤを駆動するための回転ドラムを備えた駆動軸と、先端部が前記先導部材に基端部が前記アーチ部材の内面に沿って延びる固定部材に固着され、前記先導部材の移動により伸縮して開閉されるカーテン部材と、から構成され、カーテン部材は、棟木直下を最高点として温室のアーチ状部材内面に沿って移動して、前記温室の内部の栽培空間が最大化された、温室のカーテン開閉装置。【選択図】図１
2014147339.tif 000002
【特許請求の範囲】
【請求項１】
間隔を置いて敷設されたパイプ製アーチ状部材とこれらを連結する棟木を含む横部材から構成された温室のカーテン開閉装置であって、
前記アーチ状部材の内面に近接して前記温室の略全長に亘って、棟方向に平行して複数本掛け渡された案内部材と、
駆動ワイヤに固定されその駆動により前記案内部材に直交して該案内部材上を棟方向に移動する先導部材と、
前記温室の一方の妻面に沿って配設され、前記駆動ワイヤを駆動するための回転ドラムを備えた駆動軸と、
先端部が前記先導部材に基端部が前記アーチ部材の内面に沿って延びる固定部材に固着され、前記先導部材の移動により伸縮して開閉されるカーテン部材と、
から構成され、
前記カーテン部材は、前記棟木直下を最高点として前記温室のアーチ状部材内面に沿って移動して、前記温室の内部の栽培空間が最大化された温室のカーテン開閉装置。
【請求項２】
前記固定部材は、少なくとも前記棟木若しくは棟木直下に位置する部材と前記温室の両肩部の横部材に支持され、前記アーチ部材内面に沿って張設されたスパンワイヤにより構成され、前記温室の両妻面に位置する前記スパンワイヤは、それぞれ妻面のアーチ部材に隣接するアーチ部材の内面に沿って設けられ、カーテン開閉装置の駆動系機器と干渉しないようにされていることを特徴する請求項１に記載された温室用カーテン開閉装置。
【請求項３】
前記案内部材は、少なくとも前記棟木直下と前記アーチ部材の両肩部の３箇所において、上下に平行して配設された２本の奥行きワイヤにより構成され、上記先導部材を段違い状態で前進および後進可能に支持するものであることを特徴とする請求項１乃至請求項２のいずれかに記載された温室用カーテン開閉装置。
【発明の詳細な説明】
【技術分野】
【０００１】
本発明は、温室用カーテン開閉装置に関するものである。
【背景技術】
【０００２】
従来、図１１に示されるように、温室１００の骨組みは、棟方向に間隔を置いて建て込まれた中心柱１０１、その両側方に建て込まれた側柱１０２、中心柱１０２を連結する棟木、棟木と側柱１０２を結ぶ屋根材１０３、中心柱１０１と屋根材１０３の間に配設された補強用方杖１０４とから構成されたものが多い（特許文献１参照）。
【０００３】
この型式の温室にカーテン開閉装置を設置しようとすると、中心柱１０１や方杖１０４が温室内に存在することから、どうしてもカーテン開閉装置は、中心柱１０１毎に区切られたものとするとともに、方杖１０４よりも低い位置に構成せざるを得ない。
【０００４】
そうすると、カーテン３０１を駆動する駆動ワイヤ３０２の駆動軸３０３は、温室１００の棟方向に１本のものとすることができるが、中心柱１０１毎に区切られたカーテン開閉装置のそれぞれに、駆動ワイヤ３０２、その巻取りドラム、駆動ワイヤの方向転換用の滑車等の部品が必要となり、全体として部品点数が数限りなく必要とされ、カーテン開閉装置の設置費用が膨大となってしまう。
【０００５】
一方、図１２に示されるような、カーテンを温室の棟方向に移動させて開閉するカーテン開閉装置が提案されている（特許文献２参照）。
この型式のカーテン開閉装置は、駆動軸を温室の妻面に配置するだけでよいから、駆動ワイヤ、その巻取りドラム、方向転換用の滑車等の部品点数を削減することが可能となることから、カーテン開閉装置の設置費用は相当削減することができる。
【０００６】
しかしながら、この温室は棟方向に間隔をあけて妻面と平行する梁が数多く設けられているので、カーテン開閉装置はこれらの梁の下面に沿って平面的に展開せざるを得ないので、背の低い温室においてはカーテンを閉めた状態では栽培空間を狭めてしまい、栽培者の作業効率を低下させてしまうという問題が依然として残る。
逆に、作業性を確保するためには温室の高さを一定以上に設定する必要があり、温室そのものの建設コストが大きくなってしまう問題が生じる。
【先行技術文献】
【特許文献】
【０００７】
【特許文献１】特開２００２−１６８０６７号公報
【特許文献２】特開２００２−１０１７６９号公報
【発明の概要】
【発明が解決しようとする課題】
【０００８】
以上の実状に鑑み、本発明は前記従来技術の欠点を克服することを目的とするものであり、温室の高さを高くすることなく、温室の建設コストの上昇を抑制して、温室内の栽培空間を十分に確保して栽培作業を効率化し、カーテン開閉装置の設置コストを低減することが可能なカーテン開閉装置を提供することを目的とするものである。
【課題を解決するための手段】
【０００９】
請求項１に係る発明は、上記の目的を達成するため、間隔を置いて敷設されたパイプ製アーチ状部材とこれらを連結する棟木を含む横部材から構成された温室のカーテン開閉装置であって、アーチ状部材の内面に近接して温室の略全長に亘って、棟方向に平行して複数本掛け渡された案内部材と、駆動ワイヤに固定されその駆動により案内部材に直交して案内部材上を棟方向に移動する先導部材と、温室の一方の妻面に沿って配設され、駆動ワイヤを駆動するための回転ドラムを備えた駆動軸と、先端部が先導部材に基端部がアーチ部材の内面に沿って延びる固定部材に固着され、先導部材の移動により伸縮して開閉されるカーテン部材と、から構成され、カーテン部材は、棟木直下を最高点として温室のアーチ状部材内面に沿って移動して、温室の内部の栽培空間が最大化されたものとした。
【００１０】
請求項２に係る発明は、固定部材が、少なくとも棟木若しくは棟木直下に位置する部材と温室の両肩部の横部材に支持され、アーチ部材内面に沿って張設されたスパンワイヤにより構成され、温室の両妻面に位置するスパンワイヤは、それぞれ妻面のアーチ部材に隣接するアーチ部材の内面に沿って設けられ、カーテン開閉装置の駆動系機器と干渉しないようにされていることを特徴としている。
【００１１】
請求項３に係る発明は、案内部材が、少なくとも棟木直下とアーチ部材の両肩部の３箇所において、上下に平行して配設された２本の奥行きワイヤにより構成され、先導部材を段違い状態で前進および後進可能に支持するものであることを特徴としている。
【発明の効果】
【００１２】
請求項１に係る発明によれば、カーテン開閉装置を設置するために温室の高さを高くする必要はないことから、温室の建設コストの上昇を抑制することができる。また、温室内の栽培空間を十分に確保して栽培作業を効率化し得るとともに、カーテン開閉装置の設置コストを低減することが可能なカーテン開閉装置を提供することができる。
【００１３】
請求項２に係る発明によれば、アーチ部材内面に沿って張設されたスパンワイヤを、簡単な吊り具で少なくとも棟木若しくは棟木直下に位置する部材と温室の両肩部の横部材に支持させることができ、温室の両妻面に位置するスパンワイヤは、それぞれ妻面のアーチ部材に隣接するアーチ部材の内面に沿って設けたから、カーテン開閉装置の駆動系機器と干渉しないようにすることができる。
【００１４】
請求項３に係る発明によれば、案内部材は、少なくとも棟木直下とアーチ部材の両肩部の３箇所において、上下に平行して配設された２本の奥行きワイヤにより構成したので、簡単な構成で先導部材を段違い状態で前進および後進可能に支持することができる。
【図面の簡単な説明】
【００１５】
【図１】本発明に係る温室の正面図である。
【図２】本発明に係る温室用カーテン開閉装置のカーテンの基端部を固定するためのスパンワイヤを示す図面である。
【図３】本発明に係る温室用カーテン開閉装置の先導部材を支持する案内部材（奥行ワイヤ）を示す斜視図である。
【図４】本発明に係る温室用カーテン開閉装置の概略図である。
【図５】本発明に係る温室用カーテン開閉装置の駆動ワイヤと先導部材を概略的に示す部分的平面図である。
【図６】本発明に係る温室用カーテン開閉装置の駆動ワイヤとカーテンの断面図である。
【図７】本発明に係る温室用カーテン開閉装置の案内部材（奥行ワイヤ）とカーテンの断面図である。
【図８】本発明に係る温室用カーテン開閉装置の案内部材の吊りバントを示す図である。
【図９】本発明に係る温室用カーテン開閉装置のカーテンを支持する棚線とカーテンの浮上りを防止する浮上り防止線を示す図である。
【図１０】本発明に係る温室用カーテン開閉装置の案内部材と先導部材を概略的に示す断面図である。
【図１１】従来の温室用カーテン開閉装置を概略的に示す正面図である。
【図１２】他の従来の温室用カーテン開閉装置を概略的に示す斜視図である。
【実施例】
【００１６】
以下、図１乃至図４を参照して、本発明に係る温室およびそのカーテン開閉装置の概要について説明する。
図１は、本発明の温室１の妻面をみた正面図である。
１１は丸パイプ製のアーチ部材であり、棟部において接続金具により２本の湾曲したアーチ部材が接続された構造である。もちろん１本の丸パイプを湾曲形成して構成することも可能である。
【００１７】
このアーチ部材１１は、棟方向に所定間隔を置いて、下端部を地面に挿入されて多数本敷設されている。なお、図示を省略するが、地面にコンクリートを打設して形成された基礎に埋め込まれた形態を採用することもできる。
【００１８】
これらのアーチ部材１１の内面には、棟方向に延びる棟木を含む複数本の横部材がそれぞれ接合金具によって接合されている。
温室１の頂部である棟部には、棟木１２が配設されており、アーチ部材１１の肩部、裾部に向かって所定間隔で他の横部材１３が連結されている。
１５は温室１の表面に合成樹脂性シートを張設するためのシート定着具であり、最下端に設けられた一対のシート定着具１５．１５は、裾部換気用シートを開放自在に固定するためのものである。
【００１９】
なお、以上の説明では、アーチ部材１１と棟木１２と他の横部材１３の温室の構造材のみを備えるものとしているが、本発明の温室としては、柱材と屋根材が別部材から構成された本格的大型のものでない限り、棟部と肩部の中間を水平に結ぶタイバーと束材を補強材として具備する簡易な構造の温室であればよい。
【００２０】
すなわち、この温室１は、図１１.１２に示される従来の温室のように、温室内に構造材である中央柱や図１２に示されるような構造材である梁を有していない。
この構成は、後述するように本発明の重要な基礎的条件である。
【００２１】
２１は、本発明のカーテン３７の一端部を固定するためのスパンワイヤである。
温室１の一方の妻面と他方の妻面に位置するスパンワイヤ２１は、駆動系機器と干渉しないように、それぞれ妻面から略５０ｃｍ離されて２本目のアーチ部材１１の内面に沿って設けられている。
スパンワイヤ２１は、所定の間隔、例えば４ｍ、の間隔を空けて配設されている。
そして、基端部をスパンワイヤ２１に固定された各カーテン３７の先端は、後述する先導部材３４に固定されて棟方向の相互に反対方向に移動して、カーテン３７が閉じられたときには、図４に示されるように略３０ｃｍ重なるように構成されている。
これにより、熱の放散や日照の漏れを防止している。
【００２２】
スパンワイヤ２１の一端は、ワイヤクリップにてアーチ部材１１の下端部に固定され、他端は同じくアーチ部材１１の下端部にターンバックルにて張力調整自在に固定されている。
なお、棟木１２直下と両肩部においては、吊りバンドを用いてスパンワイヤ２１を吊るようにしている。
【００２３】
例えば棟木１２直下においては、図８に示されるように、全体で２０個の孔を有する吊りバンド２４を折り曲げて重ね合わせて、上から２番目と下から２番目の孔にボルトナット等の固定具にて吊りバンド２４を棟木１２に吊り下げる。
そして、最下端の孔ａにスパンワイヤ２１を挿通するとともに、下方に位置する固定具を挟んで上下に後述する案内部材２２が通される。
【００２４】
温室１の妻面に設けられる縦部材１４は、この実施例では角パイプから構成されている。１６は、出入口用の扉である。
３は、この縦部材１４に回転自在に取付けられた駆動軸であり、この駆動軸３には駆動ワイヤ３３を巻取り巻戻す回転ドラム３１が適宜数固定されている。本実施例においては、棟木１２の両脇に該当する位置とアーチ部材１１両肩部近傍の４箇所に４つの駆動系統が配設されている。３２は駆動ワイヤ３３案内用の滑車である。
【００２５】
次いで案内部材２２．２３について説明する。
案内部材は、図３に示されるように、上記したスパンワイヤ２１の少し上に位置して温室１の一方の妻面から他方の妻面に至るまで温室１の横部材１２．１３と平行して延伸している。
この案内部材２２．２３は、棟木１２直下と温室１の両肩部近傍の３箇所に配設され、カーテン３７の先導部材３４を前後進自在に支持するものである。
【００２６】
図８と図１０を参照して、この案内部材２２．２３について説明する。
１つの案内部材は、この実施例では２本の奥行きワイヤ２２Ａ、２２Ｂから構成され、一端は駆動系機器が配設された妻面に、２本とも１つのワイヤクリップにて縦部材１４間に掛け渡された横部材１７に固定されている。
一方、各ワイヤ２２Ａ、２２Ｂの他端は、他の妻面の縦部材間に掛け渡された横部材に取付けられた２個のターンバックルにて、それぞれ独立して張力調整自在に固定されている。
【００２７】
上側カーテン３７Ａの先端を先導する上側カーテン先導部材３４Ａが、上述した上側に位置する案内部材２２Ａ、２３Ａの上を移動する一方、下側カーテン３７Ｂの先端を先導する下側カーテン先導部材３４Ｂは、下側に位置する案内部材２２Ｂ、２３Ｂの上を移動するものである。
これら先導部材３４Ａ、３４Ｂは、図５に示されるように、それぞれ反対方向に駆動される駆動ワイヤ３３にクリップにて固定され、駆動ワイヤ３３の駆動力によってそれぞれ反対方向に案内されてカーテン３７を開閉するものである。
なお、この先導部材３４は、２本の丸パイプの先端が棟部分において、短尺のゴムチューブ製の接合材に挿入固定することにより接合され、この接合材の柔軟な動きによって棟部の案内部材２２と肩部の案内部材２３の段差の大きさの変化に対応している。
【００２８】
カーテン３７は、その基端部は上記したスパンワイヤ２１に固定されている。
また、その先端部は、上側カーテン３７Ａが上側カーテン先導部材３４Ａに、下側カーテン３７Ｂが下側カーテン先導部材３４Ｂに、それぞれ固定されている。
カーテン３７はスパンワイヤ２１よりも上側に配設された案内部材２２．２３上に張り巡らされるものである。このため、カーテン３７の基端部を上記したスパンワイヤ２１に固定するためには、例えば案内部材２２直近のカーテン３７の端部は無理してスパンワイヤ２１に固定せず、無理なく固定可能な部位からカーテンクリップにてスパンワイヤ２１に固定している。
【００２９】
なお、他のカーテン３７のスパンワイヤ２１に対する固定方法としては、基端部に棟方向の切れ目を入れて、この切れ目に案内部材２２．２３を通してスパンワイヤ２１まで到達させて端部をカーテンクリップにて固定する方法を採用してもよい。
【００３０】
図９を参照して本発明の補助ワイヤについて説明する。
３６は上側カーテン３７Ａと下側カーテン３７Ｂが案内部材２２．２３によって構成される面よりも大きく弛むことを防止するための棚線であり、３５は上側カーテン３７Ａと下側カーテン３７Ｂが大きく浮き上がることを防止するための浮上り防止線である。
【００３１】
本発明のカーテン開閉装置は、１本の丸パイプあるいは２本の丸パイプを棟部で接合したアーチ部材と横部材から構成された簡易型の比較的小型の温室を、より大型のものに変更する必要をなくすことから温室の建設コストを上げることなく、カーテン開閉装置の駆動軸を温室の妻面に配設して、カーテンを温室の棟方向に走行させることで、カーテンの開閉駆動機構を極めて簡易な構成とするとともに、カーテンの妻方向中央部高さをカーテンの肩部高さよりも高くして、温室の栽培空間を究極的に広くするものである。
これにより、栽培効率を高めるばかりでなくより栽培高さが要求される品種の栽培をも可能とする、極めて有用性の高いものである。
【符号の説明】
【００３２】
１      温室
１１    アーチ部材
１２    棟木
１３    横部材
１４    縦部材
１５    シート定着具
１６    扉
１７    妻部横部材
２１    スパンワイヤ
２２    案内部材
２３    案内部材
３      駆動軸
３１    回転ドラム
３２    滑車
３３    駆動ワイヤ
３４    先導部材
３５    浮上り防止線
３６    棚線
３７    カーテン
【図１】
2014147339.tif 000003
【図２】
2014147339.tif 000004
【図３】
2014147339.tif 000005
【図４】
2014147339.tif 000006
【図５】
2014147339.tif 000007
【図６】
2014147339.tif 000008
【図７】
2014147339.tif 000009
【図８】
2014147339.tif 000010
【図９】
2014147339.tif 000011
【図１０】
2014147339.tif 000012
【図１１】
2014147339.tif 000013
【図１２】
2014147339.tif 000014